(57)【要約】【解決手段】  装置は色度及び輝度モジュールを備える。色度及び輝度モジュールは、複数のディスプレイの各々のディスプレイ特性を取得する。色度及び輝度モジュールは、ディスプレイ特性に基づき複数のディスプレイの各々に対する色度及び輝度をディスプレイ毎ベースで選択的に調節する。１つの例においては、ディスプレイは単一の大型サーフェスを集合的に表示する。【選択図】図１
2013527489.tif 000002
【特許請求の範囲】
【請求項１】
色度及び輝度モジュールを備える装置であって、
前記色度及び輝度モジュールは、
複数のディスプレイの各々のディスプレイ特性を取得するように及び、
前記ディスプレイ特性に基づき前記複数のディスプレイの各々に対する色度及び輝度をディスプレイ毎ベースで選択的に調節するように動作する装置。
【請求項２】
前記色度及び輝度モジュールは前記複数のディスプレイの各々が提示可能な共通色度範囲に基づき前記色度を選択的に調節するように動作し、前記共通色度範囲は前記複数のディスプレイの前記ディスプレイ特性に基づく請求項１の装置。
【請求項３】
前記色度及び輝度モジュールは前記複数のディスプレイの各々が提示可能な共通輝度範囲に基づき前記輝度を選択的に調節するように動作し、前記共通輝度範囲は前記複数のディスプレイの前記ディスプレイ特性に基づく請求項１の装置。
【請求項４】
前記ディスプレイ特性は拡張されたディスプレイ識別データ及びディスプレイ識別データの一方に従う情報を備える請求項１の装置。
【請求項５】
前記ディスプレイ特性は単一の大型サーフェスを集合的に表示する前記複数のディスプレイの視覚的把握に基づく請求項１の装置。
【請求項６】
単一の大型サーフェスを表示する場合に前記複数のディスプレイの全てにわたって実質的に均等な色度及び輝度を提供するために前記複数のディスプレイの各々の前記色度及び輝度は個別に調節される請求項１の装置。
【請求項７】
複数のディスプレイの各々のディスプレイ特性を取得することと、
前記ディスプレイ特性に基づき前記複数のディスプレイの各々に対する色度及び輝度をディスプレイ毎ベースで選択的に調節することと、を備える方法。
【請求項８】
前記複数のディスプレイの各々が提示可能な共通色度範囲に基づき前記色度を選択的に調節することを備え、前記共通色度範囲は前記複数のディスプレイの前記ディスプレイ特性に基づく請求項７の方法。
【請求項９】
前記複数のディスプレイの各々が提示可能な共通輝度範囲に基づき前記輝度を選択的に調節することを備え、前記共通輝度範囲は前記複数のディスプレイの前記ディスプレイ特性に基づく請求項７の方法。
【請求項１０】
前記ディスプレイ特性は拡張されたディスプレイ識別データ及びディスプレイ識別データの一方に従う情報を備える請求項７の方法。
【請求項１１】
前記ディスプレイ特性は単一の大型サーフェスを集合的に表示する前記複数のディスプレイの視覚的把握に基づく請求項７の方法。
【請求項１２】
単一の大型サーフェスを表示する場合に前記複数のディスプレイの全てにわたって実質的に均等な色度及び輝度を提供するために前記複数のディスプレイの各々の前記色度及び輝度は個別に調節される請求項７の方法。
【請求項１３】
色度及び輝度モジュールを備えるデバイスであって、
前記色度及び輝度モジュールは、
複数のディスプレイの各々のディスプレイ特性を取得するように及び、
前記ディスプレイ特性に基づき前記複数のディスプレイの各々に対する色度及び輝度をディスプレイ毎ベースで選択的に調節するように動作し、
前記複数のディスプレイは単一の大型サーフェスを集合的に表示するように動作するデバイス。
【請求項１４】
前記色度及び輝度モジュールは前記複数のディスプレイの各々が提示可能な共通色度範囲に基づき前記色度を選択的に調節するように動作し、前記共通色度範囲は前記複数のディスプレイの前記ディスプレイ特性に基づく請求項１３のデバイス。
【請求項１５】
前記色度及び輝度モジュールは前記複数のディスプレイの各々が提示可能な共通輝度範囲に基づき前記輝度を選択的に調節するように動作し、前記共通輝度範囲は前記複数のディスプレイの前記ディスプレイ特性に基づく請求項１３のデバイス。
【請求項１６】
前記複数のディスプレイと、
前記複数のディスプレイに動作可能に結合され前記色度及び輝度モジュールを備えるグラフィクス処理モジュールと、を備える請求項１３のデバイス。
【請求項１７】
画像情報に応答して複数のディスプレイの各々に対する調節された色度ディスプレイ情報をディスプレイ毎ベースで選択的に提供するように動作する色度モジュールと、
前記調節された色度画像情報に応答して前記複数のディスプレイの各々に対する調節された輝度画像情報をディスプレイ毎ベースで選択的に提供するように動作する輝度モジュールと、
前記色度モジュール及び前記輝度モジュールに動作可能に結合され、前記複数のディスプレイの各々のディスプレイ特性に基づき、前記調節された色度画像情報を提供すべく前記色度モジュールを制御すると共に、前記調節された輝度情報を提供すべく前記輝度モジュールを制御するように動作する制御モジュールと、を備える装置。
【請求項１８】
前記色度モジュールは前記複数のディスプレイの各々が提示可能な共通色度範囲に基づき前記調節された色度画像情報を提供するように動作し、前記共通色度範囲は前記複数のディスプレイの前記ディスプレイ特性に基づく請求項１７の装置。
【請求項１９】
前記輝度モジュールは前記複数のディスプレイの各々が提示可能な共通輝度範囲に基づき前記調節された輝度画像情報を提供するように動作し、前記共通輝度範囲は前記複数のディスプレイの前記ディスプレイ特性に基づく請求項１７の装置。
【請求項２０】
前記ディスプレイ特性は拡張されたディスプレイ識別データ及びディスプレイ識別データの一方に従う情報を備える請求項１７の装置。
【請求項２１】
単一の大型サーフェスを表示する場合に前記複数のディスプレイの全てにわたって実質的に均等な色度及び輝度を提供するために前記複数のディスプレイの各々の前記色度及び輝度は個別に調節される請求項１７の装置。
【発明の詳細な説明】
【関連出願の相互参照】
【０００１】
この出願は、譲受人に係る「多重ディスプレイの色度及び輝度に関する方法及び装置」に対する２０１０年３月３０日出願の米国仮特許出願第６１／３１９，１１５、発明者シアド・アサール・フセイン(Syed Athar Hussain)及びジェフリー・チェン(Jeffrey Cheng)、への優先権を主張し、その内容の全ては参照によりここに組み込まれる。この出願はまた、譲受人に係る「多重ディスプレイの色度及び輝度に関する方法及び装置」に対する２０１１年３月２１日出願の米国特許出願第１３／０５２，７６１、発明者シアド・アサール・フセイン及びジェフリー・チェン、への優先権を主張し、その内容の全ては参照によりここに組み込まれる。
【技術分野】
【０００２】
本開示は概して色度及び輝度に関する方法及び装置に関し、より特定的には多重ディスプレイに対する色度及び輝度を提供するための方法及び装置に関する。
【背景技術】
【０００３】
幾つかの最新のコンピュータシステムは、単一の大型サーフェス(single large surface)を多重ディスプレイの間で集合的に提示する方法でこれらのディスプレイを駆動するものとして知られており、これは高解像度を有する単一の大型サーフェスを表示するためのコスト効率的な解決法であり得る。しかし、これらのディスプレイの１つ以上は、他のディスプレイとは異なるディスプレイ特性を有していることがある。例えば、１つ以上のディスプレイは異なる製造元によって作製されることもあれば異なるモデル種であることもある。従って、処理された画像を単一の大型サーフェスとしてのディスプレイのために又は他の目的で提示する場合、１つ以上のディスプレイは、変化する色度(chrominance)特性や輝度(luminance)特性を有してしまうことがあり、提示される単一の大型サーフェスを多重ディスプレイの間で一貫性なく出現させるので、望ましくない。
【発明の概要】
【発明が解決しようとする課題】
【０００４】
そこで、上述した不都合の１つ以上に対処することができる方法及び装置に対する必要性がある。
【図面の簡単な説明】
【０００５】
本発明は、以下の図面と共に下記の説明を考慮してより容易に理解されるはずであり、図面において同様の参照番号は同様の要素を表す。
【０００６】
【図１】図１は本開示に従う色度及び輝度モジュールを含むデバイスを例示的に示す図である。
【０００７】
【図２】図２は色度及び輝度モジュールの例示的な機能ブロック図である。
【０００８】
【図３】図３は色度及び輝度モジュールによって行われ得る例示的な動作を示すフローチャートである。
【０００９】
【図４】図４は色度及び輝度モジュールによって行われ得る例示的な動作を示すフローチャートである。
【００１０】
【図５】図５は色度及び輝度モジュールによって行われ得る例示的な動作を示すフローチャートである。
【発明を実施するための形態】
【００１１】
１つの例においては、装置は色度及び輝度モジュールを備える。色度及び輝度モジュールは、複数のディスプレイの各々のディスプレイ特性を取得する。色度及び輝度モジュールは、ディスプレイ特性に基づき複数のディスプレイの各々に対する色度及び輝度をディスプレイ毎ベースで選択的に調節する。１つの例においては、ディスプレイは単一の大型サーフェスを集合的に表示する。関連する方法もまた開示される。
【００１２】
数ある利点の中でも、当該方法及び装置は、例えば単一の大型サーフェスを表示する場合に、複数のディスプレイにわたって実質的に均等な色度及び輝度を提供する。従って、単一の大型サーフェスを表示するために、種々のディスプレイに対する異なる色度及び輝度特性を有することなしに、異なる製造の且つ／又は異なるモデルのディスプレイが併せて用いられ得る。他の利点は当業者によって認識されるはずである。
【００１３】
１つの例においては、色度及び輝度モジュールは、複数のディスプレイの各々のディスプレイ特性に基づき複数のディスプレイの各々に対する色度及び輝度を選択的に調節する。１つの例においては、色度及び輝度モジュールは、複数のディスプレイの各々が提示可能な共通色度範囲に基づき色度を選択的に調節する。共通色度範囲は複数のディスプレイのディスプレイ特性に基づく。１つの例においては、色度及び輝度モジュールは、複数のディスプレイの各々が提示可能な共通輝度範囲に基づき輝度を選択的に調節する。共通輝度範囲は複数のディスプレイのディスプレイ特性に基づく。
【００１４】
１つの例においては、ディスプレイ特性は、拡張されたディスプレイ識別データ及び／又はディスプレイ識別データに従う情報を備える。別の例においては、ディスプレイ特性は、単一の大型サーフェスを集合的に表示する複数のディスプレイの視覚的把握(visual perception)に基づく。
【００１５】
１つの例においては、単一の大型サーフェスを表示する場合に複数のディスプレイの全てにわたって実質的に均等な色度及び輝度を提供するために、複数のディスプレイの各々の色度及び輝度が個別に調節される。
【００１６】
１つの例においては、装置は、色度モジュール、輝度モジュール及び制御モジュールを含む。色度モジュールは、画像情報に応答して複数のディスプレイの各々に対する調節された色度ディスプレイ情報をディスプレイ毎ベースで選択的に提供する。輝度モジュールは、調節された色度画像情報に応答して複数のディスプレイの各々に対する調節された輝度画像情報をディスプレイ毎ベースで選択的に提供する。色度モジュール及び輝度モジュールに動作可能に結合される制御モジュールは、複数のディスプレイの各々のディスプレイ特性に基づき、調節された色度画像情報を提供すべく色度モジュールを制御すると共に、調節された輝度情報を提供すべく輝度モジュールを制御し、ここで複数のディスプレイは単一の大型サーフェスを集合的に表示するように動作する。
【００１７】
１つの例においては、色度モジュールは、複数のディスプレイの各々が提示可能な共通色度範囲に基づき調節された色度画像情報を提供するように動作し、ここで共通色度範囲は複数のディスプレイのディスプレイ特性に基づく。
【００１８】
実施形態の以下の説明は本来的に単に例示的なものであり、本発明、その応用又はその使用を限定することは全く意図されていない。明瞭さを目的として、同様の要素を特定するために同じ参照番号が図面において用いられる。
【００１９】
ここで用いられる「モジュール」の用語は、電子回路、１つ以上のソフトウエア若しくはファームウエアプログラムを実行する１つ以上のプロセッサ（限定はされないが例えばマイクロプロセッサ、ＤＳＰ又は中央処理ユニット等の共有された、専用の又は一群のプロセッサ）及びメモリ、組み合わせに係る論理回路、ＡＳＩＣ、並びに／又は説明される機能を提供する他の適切な要素を含み得る。また、「信号」の用語は、１つ以上の電流、１つ以上の電圧、又はデータ信号を参照してよい。更に、当業者によって理解されるであろうように、「モジュール」のレイアウトは、ハードウエア記述言語、例えばベリログ(verilog)（商標）、ＶＨＤＬ、及び／又は他の適切なハードウエア記述言語、において記述され且つレイアウトされ得る。
【００２０】
次に図１を参照すると、デバイス１００の例示的な機能ブロック図が示されており、デバイス１００は例えば携帯電話、携帯型や固定型のコンピュータ、プリンタ、ＬＡＮインタフェース（無線や有線）、メディアプレイヤ、ビデオデコーダやビデオエンコーダ、及び／又は他の適切なデバイスである。デバイス１００は、プロセッサモジュール１０２、ブリッジモジュール１０４、メモリモジュール１０６、グラフィクスプロセッサモジュール１０８、及び複数のディスプレイ１１０，１１２，１１４を含む。この例ではグラフィクスプロセッサモジュールと称されるものの、当業者であればグラフィクスプロセッサモジュール１０８がグラフィクス情報に加えてビデオ情報を処理可能であることを理解するはずである。また幾つかの実施形態においては、ディスプレイ１１０，１１２，１１４は、必要に応じてデバイス１００の外部にあってよい。
【００２１】
ディスプレイ１１０，１１２，１１４は、全体フレームを単一の大型サーフェス１１５として集合的に提示するように構成される。図示はしないが、幾つかの実施形態においては、３列２行を有する長方形配置に位置合わせされた６つのディスプレイがあってよい。従ってこの例では、ディスプレイの各々は、全てのディスプレイ１１０，１１２，１１４の結合が全体フレームを単一の大型サーフェス１１５として提示するように、フレームの１／６を提示し得る。この例では６つのディスプレイが論じられているが、必要に応じて任意の数のディスプレイが含まれ得るしまた配列され得ることが意図されている。
【００２２】
プロセッサモジュール１０２は、ブリッジモジュール１０４に動作可能に結合され、そしてブリッジモジュール１０４からの要求を処理する。メモリモジュール１０６は、ブリッジモジュール１０４から伝達される情報を記憶する。ブリッジモジュール１０４は、画像情報１１６（例えば描画コマンド及び／又は他の適切な未処理の画像情報）をグラフィクスプロセッサモジュール１０８へ伝達し、グラフィクスプロセッサモジュール１０８はその情報をディスプレイ１１０，１１２，１１４上での提示のために処理する。
【００２３】
グラフィクスプロセッサモジュール１０８は、実質的に図示されるように構成される画像プロセッサモジュール１１８と、色度及び輝度モジュール１２０と、フレームバッファモジュール１２２と、を含み得る。画像プロセッサモジュール１１８は、画像情報１１６に応答して処理された画像情報１２４を色度及び輝度モジュール１２０に供給する。幾つかの実施形態においては、画像プロセッサモジュール１１８は、処理された画像情報１２４を必要に応じてフレームバッファモジュール１２２に供給することができる。図示されるように、この例においては、処理された画像情報１２４は、ディスプレイ１１０，１１２，１１４の各々に対応する画像フレーム部分（例えば１，２，Ｎ，Ｍ−２，Ｍ−１，…，Ｍ）を有する全体画像フレーム１２６として記憶される。より具体的には、この例においては、画像フレーム部分１はディスプレイ１１０に対応し、画像フレーム部分２はディスプレイ１１２に対応し、そして画像フレーム部分Ｍはディスプレイ１１４に対応するが、他の構成も考慮される。ディスプレイ１１０，１１２，１１４は、全体画像フレーム１２６のそれぞれの画像フレーム部分（例えば１，２，Ｎ，Ｍ−２，Ｍ−１，…，Ｍ）を表示して、ディスプレイ１１０，１１２，１１４にわたり単一の大型サーフェス１１５を集合的に提示する。
【００２４】
処理された画像情報１２４（又は処理されて記憶された画像情報１２８）に応答して、色度及び輝度モジュール１２０は、ディスプレイ１１０，１１２，１１４の各々に対して供給される画像情報の各ストリームの色度及び輝度をディスプレイ毎ベースで選択的に調節する。より特定的には、色度及び輝度モジュール１２０は、処理された画像情報１２４（又は処理されて記憶された画像情報１２８）の色度及び輝度を調節して、調節された色度及び輝度画像情報１３０，１３２，１３４を各対応するディスプレイ１１０，１１２，１１４に対して提供する。画像情報（例えば調節された色度及び輝度画像情報１３０，１３２，１３４）のそれぞれのストリームの色度及び輝度は、単一の大型サーフェス１１５を表示するときにディスプレイ１１０，１１２，１１４の各々がこれらのディスプレイにわたって実質的に均等な色度及び輝度をもたらすように、調節される。従って、単一の大型サーフェス１１５を表示するために、種々のディスプレイに対する異なる色度及び輝度特性を有することなしに、異なる製造の且つ／又は異なるモデルのディスプレイが併せて用いられ得る。
【００２５】
色度及び輝度モジュール１２０は、ディスプレイ１１０，１１２，１１４の各々のディスプレイ特性に基づきディスプレイ１１０，１１２，１１４の各々に対する画像情報の各ストリームの色度及び輝度を選択的に調節する。ディスプレイ特性は、輝度情報（例えばガンマ又は強度特性）及び色度情報（例えば色域(color gamut)）等の各ディスプレイのディスプレイ特性能力に関する情報を提供する。例えば、ディスプレイ１１０が座標ｘ＿赤＝０．６４，ｙ＿赤＝０．３３，ｘ＿緑＝０．３，ｙ＿緑＝０．６，ｘ＿青＝０．１５，ｙ＿青＝０．０６で定義される色域空間を有しており且つディスプレイ１１２，１１４が座標ｘ＿赤＝０．７３５，ｙ＿赤＝０．２６５，ｘ＿緑＝０．２７４，ｙ＿緑＝０．７１７，ｘ＿青＝０．１６７，ｙ＿青＝０．００９で定義される色域空間を有している場合、色度及び輝度モジュール１２０は、特定の画像の色域が全てのディスプレイ１１０，１１２，１１４に対する共通範囲（例えば重複区域又は共通部分(overlapping area or intersection)）色域の範囲内に含まれ得るように、処理された画像情報１２４（又は処理されて記憶された画像情報１２８）を調節することになる。従ってこの例では、色度及び輝度モジュール１２０は、処理された画像情報１２４（又は処理されて記憶された画像情報１２８）が座標ｘ＿赤＝０．６４，ｙ＿赤＝０．３３，ｘ＿緑＝０．３，ｙ＿緑＝０．６，ｘ＿青＝０．１６７，ｙ＿青＝０．０６で定義される全てのディスプレイ１１０，１１２，１１４に対する色域空間を有するようにこれを調節することができる。
【００２６】
色度及び輝度モジュール１２０は、ディスプレイ１１０，１１２，１１４の各々に対する各ディスプレイ特性情報１３６，１３８，１４０を取得する。ディスプレイ特性情報１３６，１３８，１４０は、ディスプレイ１１０，１１２，１１４の特性（又は能力）を表す任意の適切な情報、例えば色度範囲（例えば色域）、輝度範囲（例えばガンマ又は強度情報）、及び／又は他の適切な情報、であってよい。１つの実施形態においては、ディスプレイ特性情報１３６，１３８，１４０は、拡張されたディスプレイ識別情報（ＥＤＩＤ）、ディスプレイ識別データ（ＤｉｓｐｌａｙＩＤ）、及び／又は他の適切な情報に従う情報を備えることができる。別の実施形態においては、ユーザは、ディスプレイ１１０，１１２，１１４の色度及び輝度特性を視覚的に把握してそれに基づくディスプレイ特性情報１３６，１３８，１４０を供給することができる。更に別の実施形態においては、ユーザは、例えばコニカミノルタ(Konica Minolta)ＣＡ−１００色分析器(Color Analyzer)等の既知の色較正装置を用いてディスプレイ１１０，１１２，１１４の色度及び輝度特性を視覚的に把握（又は測定）することができる。
【００２７】
次に図２を参照すると、色度及び輝度モジュール１２０の例示的な機能ブロック図が示されている。色度及び輝度モジュール１２０は、図示されるように実質的に構成される色度及び輝度制御モジュール２００と多重色度モジュール２０２，２０４，２０６と多重輝度モジュール２０８，２１０，２１２とを含む。図示はしないが、色度モジュール２０２，２０４，２０６と輝度モジュール２０８，２１０，２１２は、必要に応じて輝度動作が色度動作よりも先に行われるように置き換えられ得る。色度モジュール２０２，２０４，２０６の各々は、各ディスプレイ１１０，１１２，１１４に関連付けられる。同様に、輝度モジュール２０８，２１０，２１２の各々は、各ディスプレイ１１０，１１２，１１４に関連付けられる。
【００２８】
色度及び輝度制御モジュール２００は、ディスプレイ１１０，１１２，１１４の各々に対するディスプレイ特性情報２１４（例えば１３６，１３８，１４０）を取得する。色度及び輝度制御モジュール２００は、ディスプレイ１１０，１１２，１１４の各々が表示可能な共通色度範囲及び共通輝度範囲を決定する。例えば１つの実施形態においては、色度及び輝度制御モジュール２００は、全てのディスプレイ１１０，１１２，１１４に対する色域空間の共通部分に基づく共通色度範囲を決定することができる。同様に、色度及び輝度制御モジュール２００は、全てのディスプレイ１１０，１１２，１１４に対する輝度情報の共通部分に基づく共通輝度範囲を決定することができる。
【００２９】
色度及び輝度制御モジュール２００は、ディスプレイ１１０，１１２，１１４の各々に対する共通色度範囲に基づく色度範囲制御情報２１６，２１８，２２０を提供する。同様に、色度及び輝度制御モジュール２００は、ディスプレイ１１０，１１２，１１４の各々に対する共通輝度範囲に基づく輝度範囲制御情報２２２，２２４，２２６を提供する。従って、色度及び輝度制御モジュール２００は、本質的には、色度モジュール２０２，２０４，２０６及び輝度モジュール２０８，２１０，２１２を制御して、それぞれ色度範囲制御情報２１６，２１８，２２０及び輝度範囲制御情報２２２，２２４，２２６に基づき、処理された画像情報１２４（又は処理されて記憶された画像情報１２８）の色度及び輝度を選択的に調節する。色度範囲制御情報２１６，２１８，２２０は多重情報信号として図示されているが、色度範囲制御情報２１６，２１８，２２０は、必要に応じて単一の色度範囲制御情報に結合され得る。同様に、輝度範囲制御情報２２２，２２４，２２６もまた、必要に応じて単一の輝度範囲制御情報に結合され得る。
【００３０】
動作の間、色度モジュール２０２，２０４，２０６の各々は、処理された画像情報１２４（又は処理されて記憶された画像情報１２８）に対応する各画像情報２２８，２３０，２３２を受信する。それに応答して、色度モジュール２０２，２０４，２０６の各々は、色度範囲制御情報２１６，２１８，２２０に基づき画像情報２２８，２３０，２３２を選択的に調節して、各調節された色度画像情報２３４，２３６，２３８をもたらす。調節された色度画像情報２３４，２３６，２３８に応答して、輝度モジュール２０８，２１０，２１２の各々は、輝度範囲制御情報２２２，２２４，２２６に基づき、調節された色度画像情報２３４，２３６，２３８を選択的に調節して、各対応するディスプレイ１１０，１１２，１１４に対する各調節された色度及び輝度画像情報１３０，１３２，１３４をもたらす。
【００３１】
次に図３を参照すると、色度及び輝度モジュール１２０によって行われ得る例示的な動作が一般的に３００で特定されている。処理は３０２で開始する。３０４に示されるように、色度及び輝度モジュール１２０は、ディスプレイ１１０，１１２，１１４の各々に対する各ディスプレイ特性１３６，１３８，１４０を取得する。３０６では、色度及び輝度モジュール１２０は、実質的に均等な色度及び輝度特性を有する単一の大型サーフェス１１５をディスプレイ１１０，１１２，１１４が集合的に表示することができるように、ディスプレイ１１０，１１２，１１４に対する画像情報の各ストリームをディスプレイ毎ベースで選択的に調節する。より具体的には、色度及び輝度モジュール１２０は、実質的に均等な色度及び輝度特性を有する単一の大型サーフェス１１５をディスプレイ１１０，１１２，１１４が集合的に表示するように、画像情報２２８，２３０，２３２を各対応するディスプレイ１１０，１１２，１１４に対して選択的に調節する。処理は３０８で終了する。
【００３２】
次に図４を参照すると、色度及び輝度モジュール１２０によって行われ得る追加的な例示的動作が一般的に４００で特定されている。処理は４０２で開始する。４０４では、色度及び輝度制御モジュール２００は、ディスプレイ１１０に関連付けられるディスプレイ特性情報１３６から色度情報を取得する。４０６では、色度及び輝度制御モジュール２００は、ディスプレイ１１２に関連付けられるディスプレイ特性情報１３８から色度情報を取得する。４０８では、色度及び輝度制御モジュール２００は、ディスプレイ１１０及びディスプレイ１１２に関連付けられる色度情報を比較して、ディスプレイ１１０，１１２の各々に対する共通色度範囲を決定する。４１０では、色度及び輝度制御モジュール２００は、色度範囲制御情報２１６，２１８をそれぞれ色度モジュール２０２，２０４に供給し、色度モジュール２０２，２０４は、調節された色度画像情報２３４，２３６が共通色度範囲内に含まれ且つディスプレイ１１０，１１２が実質的に同一の色度値を表示することができるように、画像情報２２８，２３０を選択的に調節する。
【００３３】
４１２では、色度及び輝度制御モジュール２００は、ディスプレイ１１０に関連付けられるディスプレイ特性情報１３６から輝度情報を取得する。４１４では、色度及び輝度制御モジュール２００は、ディスプレイ１１２に関連付けられるディスプレイ特性情報１３８から輝度情報を取得する。４１６では、色度及び輝度制御モジュール２００は、ディスプレイ１１０及びディスプレイ１１２に関連付けられる輝度情報を比較して、ディスプレイ１１０，１１２の各々に対する共通輝度範囲を決定する。４１８では、色度及び輝度制御モジュール２００は、輝度範囲制御情報２２２，２２４をそれぞれ輝度モジュール２０８，２１０に供給し、輝度モジュール２０８，２１０は、調節された色度及び輝度画像情報１３０，１３２が共通輝度範囲内に含まれ且つディスプレイ１１０，１１２が実質的に同一の輝度値を表示することができるように、調節された色度画像情報２３４，２３６を選択的に調節する。
【００３４】
４２０では、色度及び輝度制御モジュール２００は、単一の大型サーフェス１１５を表示するように構成される他のディスプレイがあるかどうかを決定する。追加のディスプレイ（例えばディスプレイ１１４）がある場合には、処理は４０４に戻る。一方、単一の大型サーフェス１１５を表示するように構成される更なるディスプレイがない場合には、処理は４２２で終了する。
【００３５】
次に図５を参照すると、色度及び輝度モジュール１２０によって行われ得る例示的な動作が一般的に５００で特定されている。処理は５０２で開始する。５０４では、色度及び輝度モジュール１２０は、各ディスプレイ１１０，１１２，１１４に対するディスプレイ特性情報から色度及び輝度情報を取得する。５０６では、色度及び輝度モジュール１２０は、別のディスプレイがあるかどうかを決定する。別のディスプレイがある場合には、色度及び輝度モジュール１２０は、そのディスプレイに関連付けられるディスプレイ特性から色度及び輝度情報を取得する。
【００３６】
一方、グラフィクスプロセッサモジュール１０８に関連付けられる更なるディスプレイがない場合には、処理は５０８及び５１０へ進む。この例では処理は５０８及び５１０へ並行して進むが、各処理は必要に応じてシリアルに行われ得る。例えば、５０８が行われた後に５１０が続いて行われてよいし、逆でもよい。
【００３７】
５０８では、色度及び輝度制御モジュール２００は、ディスプレイ１１０，１１２，１１４に対する共通色度範囲を決定する。上述したように、１つの実施形態においては、共通色度範囲は、複数のディスプレイの各々に対するディスプレイ色度情報（例えば色域空間）の共通部分に基づき得る。
【００３８】
５１０では、色度及び輝度制御モジュール２００は、ディスプレイ１１０，１１２，１１４に対する共通輝度範囲を決定する。上述したように、１つの実施形態においては、共通輝度範囲は、複数のディスプレイの各々に対するディスプレイ輝度情報（例えばガンマ又は強度情報）の共通部分に基づき得る。
【００３９】
５１２では、色度及び輝度モジュール１２０は、実質的に均等な色度及び輝度を有する単一の大型サーフェス１１５をディスプレイ１１０，１１２，１１４が集合的に提示することができるように、調節された色度及び輝度画像情報１３０，１３２，１３４を各対応するディスプレイ１１０，１１２，１１４に供給する。処理は５１４で終了する。
【００４０】
数ある利点の中でも、当該方法及び装置は、例えば単一の大型サーフェスを表示する場合に、複数のディスプレイにわたって実質的に均等な色度及び輝度を提供する。従って、単一の大型サーフェスを表示するために、種々のディスプレイに対する異なる色度及び輝度特性を有することなしに、異なる製造の且つ／又は異なるモデルのディスプレイが併せて用いられ得る。他の利点は当業者によって認識されるはずである。
【００４１】
特定の実施形態を参照して開示がここに記載されているが、特許請求の範囲に記載された本開示の範囲から逸脱することなしに種々の修正及び変更がなされ得る。従って、明細書及び図面は限定的な意味ではなく例示的なものとみなされるべきであり、また全てのそのような修正は本開示の範囲に含まれることが意図されている。特定の実施形態に関してここに説明されるいずれの利益、利点、又は課題の解決法も、任意の又は全ての請求項の臨界的な、必要な、又は本質的な特徴又は要素として解釈されることは意図されていない。また、特段の定めがない限り、「第１の」及び「第２の」等の用語は、そのような用語が記述している要素を適宜区別するために用いられている。従って、これらの用語は、そのような要素の時間的な又は他の優先順位を表すことを必ずしも意図されているわけではない。ここで用いられる「結合される」の用語は、直接的にであろうとなかろうと、また機械的にであろうとなかろうと、接続されるものとして定義される。ここで用いられる「備える」、「備えている」の用語又はその任意の他のバリエーションは、要素のリストを備える処理、方法、物品(article)又は装置がそれらの要素のみを含んでいるわけではなく明示的にはリストされておらず又はそのような処理、方法、物品又は装置に本質的である他の要素を含み得るというような非排他的な包含を網羅することが意図されている。ここで用いられる名詞に関する単数形の記載は、１つのものとして又は２つ以上のものとして定義される。
【図１】
2013527489.tif 000003
【図２】
2013527489.tif 000004
【図３】
2013527489.tif 000005
【図４】
2013527489.tif 000006
【図５】
2013527489.tif 000007
【国際調査報告】
2013527489.tif 000008
2013527489.tif 000009